(57)【要約】【課題】利便性を向上させることができるようにする。【解決手段】テレビジョン受像機１２−１は、サーバ１１から送信されてきた、テレビジョン受像機１２−２からのネットミーティングの開始を要求する着信要求を受信する。テレビジョン受像機１２−１は、着信要求によりネットミーティングの開始を要求してきた相手と、どの入力元から供給された画像がテレビジョン受像機１２−１に表示されているかとから、テレビジョン受像機１２−２からの着信を許可するか否かを判定し、その判定結果に応じた着信応答をサーバ１１に送信する。本発明は、テレビジョン受像機に適用することができる。【選択図】図１
2009089150.tif 000002
【特許請求の範囲】
【請求項１】
通信網を介して接続されている他の装置と画像または音声の少なくとも何れかを授受するネットミーティングの開始を要求する着信要求を受信する通信手段と、
前記着信要求の受信時の自分自身の状態を示す状態情報を取得し、前記ネットミーティングの開始を要求してきた相手、または前記状態情報により示される状態の少なくとも何れかに応じて、前記相手とのネットミーティングを開始するために、前記他の装置からの着信を許可するか否かを判定する判定手段と
を備える情報処理装置。
【請求項２】
前記判定手段は、表示手段に表示されている画像の入力元、または前記情報処理装置の電源の状態を示す状態情報を取得する
請求項１に記載の情報処理装置。
【請求項３】
前記判定手段は、前記相手および前記状態情報により示される状態に応じて、着信を許可するか否かを判定する
請求項１に記載の情報処理装置。
【請求項４】
各相手について自分自身の状態ごとに、着信を許可するか、着信を拒否するか、またはユーザの指示に応じて着信を許可するかを設定する設定手段をさらに備え、
前記判定手段は、前記状態情報により示される状態における前記相手からのネットミーティングの開始の要求に対して、前記ユーザの指示に応じて着信を許可するように設定されている場合、前記ユーザから着信の許可が指示されたとき、前記他の装置の着信を許可すると判定する
請求項３に記載の情報処理装置。
【請求項５】
通信網を介して他の装置と接続されている情報処理装置の情報処理方法であって、
前記他の装置と画像または音声の少なくとも何れかを授受するネットミーティングの開始を要求する着信要求を受信し、
前記着信要求の受信時の自分自身の状態を示す状態情報を取得し、
前記ネットミーティングの開始を要求してきた相手、または前記状態情報により示される状態の少なくとも何れかに応じて、前記相手とのネットミーティングを開始するために、前記他の装置からの着信を許可するか否かを判定する
ステップを含む情報処理方法。
【請求項６】
通信網を介して他の装置と接続されている情報処理装置の情報処理用のプログラムであって、
前記他の装置と画像または音声の少なくとも何れかを授受するネットミーティングの開始を要求する着信要求の受信を制御し、
前記着信要求の受信時の前記情報処理装置の状態を示す状態情報を取得し、
前記ネットミーティングの開始を要求してきた相手、または前記状態情報により示される状態の少なくとも何れかに応じて、前記相手とのネットミーティングを開始するために、前記他の装置からの着信を許可するか否かを判定する
ステップを含む処理をコンピュータに実行させるプログラム。
【発明の詳細な説明】
【技術分野】
【０００１】
本発明は情報処理装置および方法、並びにプログラムに関し、特に、利便性を向上させることができるようにした情報処理装置および方法、並びにプログラムに関する。
【背景技術】
【０００２】
従来、通信網に接続されている機器を利用して、ユーザが、その機器に表示された相手の画像を見ながら、相手と通話するネットミーティングが知られている（例えば、特許文献１参照）。このネットミーティングは、テレビ電話などとも呼ばれている。
【０００３】
ネットミーティングでは、ユーザの操作する機器が、通信網を介して接続されている他の機器に対して、ネットミーティングの開始を要求する着信要求を送信する。すると、着信要求を受信した他の機器は、着信要求を送信してきた機器に、着信する旨の着信応答を送信して着信を許可し、ネットミーティングを開始する。
【０００４】
このようなネットミーティングは、テレビ会議システムなどに利用されているが、今後、ネットミーティング機能を有するテレビジョン受像機の本格的な開発が進むと予想される。
【０００５】
【特許文献１】特開２００４−７８３６４号公報
【発明の開示】
【発明が解決しようとする課題】
【０００６】
しかしながら、上述した技術では、ネットミーティング機能を有する機器において、着信時の動作、つまり他の機器からの着信要求を受信した時の動作を、ユーザのニーズに応じて柔軟に行わせることができなかった。
【０００７】
したがって、例えば、ネットミーティング機能を有するテレビジョン受像機では、テレビジョン受像機を利用するユーザの主な目的が、テレビジョン放送されている番組や録画された番組の視聴であるにも関わらず、ネットミーティングの着信要求により、番組の視聴が妨げられてしまう恐れがあった。
【０００８】
つまり、ユーザによっては、番組を視聴しているときには、ネットミーティングよりも番組を見ることの方が重要であったり、特定の他のユーザとは番組の視聴中には、通話をしたくなかったりすることがあるが、テレビジョン受像機において着信が許可されてしまうため、ユーザは、番組の視聴を諦めてネットミーティングをしなければならなくなってしまう。
【０００９】
本発明は、このような状況に鑑みてなされたものであり、ネットミーティング機能を有する機器の利便性を向上させることができるようにするものである。
【課題を解決するための手段】
【００１０】
本発明の一側面の情報処理装置は、通信網を介して接続されている他の装置と画像または音声の少なくとも何れかを授受するネットミーティングの開始を要求する着信要求を受信する通信手段と、前記着信要求の受信時の自分自身の状態を示す状態情報を取得し、前記ネットミーティングの開始を要求してきた相手、または前記状態情報により示される状態の少なくとも何れかに応じて、前記相手とのネットミーティングを開始するために、前記他の装置からの着信を許可するか否かを判定する判定手段とを備える。
【００１１】
前記判定手段には、表示手段に表示されている画像の入力元、または前記情報処理装置の電源の状態を示す状態情報を取得させることができる。
【００１２】
前記判定手段には、前記相手および前記状態情報により示される状態に応じて、着信を許可するか否かを判定させることができる。
【００１３】
情報処理装置には、各相手について自分自身の状態ごとに、着信を許可するか、着信を拒否するか、またはユーザの指示に応じて着信を許可するかを設定する設定手段をさらに設け、前記判定手段には、前記状態情報により示される状態における前記相手からのネットミーティングの開始の要求に対して、前記ユーザの指示に応じて着信を許可するように設定されている場合、前記ユーザから着信の許可が指示されたとき、前記他の装置の着信を許可すると判定させることができる。
【００１４】
本発明の一側面の情報処理方法またはプログラムは、通信網を介して他の装置と接続されている情報処理装置の情報処理方法またはプログラムであって、前記他の装置と画像または音声の少なくとも何れかを授受するネットミーティングの開始を要求する着信要求を受信し、前記着信要求の受信時の自分自身の状態を示す状態情報を取得し、前記ネットミーティングの開始を要求してきた相手、または前記状態情報により示される状態の少なくとも何れかに応じて、前記相手とのネットミーティングを開始するために、前記他の装置からの着信を許可するか否かを判定するステップを含む。
【００１５】
本発明の一側面においては、通信網を介して接続されている他の装置と画像または音声の少なくとも何れかを授受するネットミーティングの開始を要求する着信要求が受信され、前記着信要求の受信時の自分自身の状態を示す状態情報が取得され、前記ネットミーティングの開始を要求してきた相手、または前記状態情報により示される状態の少なくとも何れかに応じて、前記相手とのネットミーティングを開始するために、前記他の装置からの着信を許可するか否かが判定される。
【発明の効果】
【００１６】
本発明の一側面によれば、ネットミーティング機能を有する機器の利便性を向上させることができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の一側面の情報処理装置は、通信網を介して接続されている他の装置と画像または音声の少なくとも何れかを授受するネットミーティングの開始を要求する着信要求を受信する通信手段（例えば、図２の通信モジュール４８）と、前記着信要求の受信時の自分自身の状態を示す状態情報を取得し、前記ネットミーティングの開始を要求してきた相手、または前記状態情報により示される状態の少なくとも何れかに応じて、前記相手とのネットミーティングを開始するために、前記他の装置からの着信を許可するか否かを判定する判定手段（例えば、図２の管理モジュール４７）とを備える。
【００１９】
前記判定手段には、表示手段（例えば、図２の表示部４２）に表示されている画像の入力元、または前記情報処理装置の電源の状態を示す状態情報を取得させる（例えば、図５のステップＳ４２の処理）ことができる。
【００２０】
前記判定手段には、前記相手および前記状態情報により示される状態に応じて、着信を許可するか否かを判定させる（例えば、図５のステップＳ４３およびステップＳ４４の処理）ことができる。
【００２１】
情報処理装置には、各相手について自分自身の状態ごとに、着信を許可するか、着信を拒否するか、またはユーザの指示に応じて着信を許可するかを設定する設定手段（例えば、図２の設定ＵＩモジュール４６）をさらに設け、前記判定手段には、前記状態情報により示される状態における前記相手からのネットミーティングの開始の要求に対して、前記ユーザの指示に応じて着信を許可するように設定されている場合、前記ユーザから着信の許可が指示されたとき、前記他の装置の着信を許可すると判定させる（例えば、図５のステップＳ４５の処理）ことができる。
【００２２】
本発明の一側面の情報処理方法またはプログラムは、通信網を介して他の装置と接続されている情報処理装置の情報処理方法またはプログラムであって、前記他の装置と画像または音声の少なくとも何れかを授受するネットミーティングの開始を要求する着信要求を受信し（例えば、図５のステップＳ４１）、前記着信要求の受信時の自分自身の状態を示す状態情報を取得し（例えば、図５のステップＳ４２）、前記ネットミーティングの開始を要求してきた相手、または前記状態情報により示される状態の少なくとも何れかに応じて、前記相手とのネットミーティングを開始するために、前記他の装置からの着信を許可するか否かを判定する（例えば、図５のステップＳ４３およびステップＳ４４の処理）ステップを含む。
【００２３】
以下、図面を参照して、本発明を適用した実施の形態について説明する。
【００２４】
図１は、本発明を適用したネットミーティングシステムの一実施の構成例を示す図である。
【００２５】
このネットミーティングシステムは、サーバ１１、テレビジョン受像機１２−１、テレビジョン受像機１２−２、および通信網１３からなり、サーバ１１、テレビジョン受像機１２−１、およびテレビジョン受像機１２−２は、インターネットなどからなる通信網１３を介して相互に接続されている。
【００２６】
サーバ１１は、ネットミーティング用のサーバであり、例えば、SIP（Session Initiation Protocol）サーバ機能を提供する。すなわち、サーバ１１は、SIPに従ってテレビジョン受像機１２−１やテレビジョン受像機１２−２と通信し、ネットミーティング時の呼制御を行う。
【００２７】
テレビジョン受像機１２−１およびテレビジョン受像機１２−２は、ネットミーティング機能、つまりいわゆるテレビ電話機能を有するテレビジョン受像機であり、SIPクライアント機能を提供する。すなわち、テレビジョン受像機１２−１およびテレビジョン受像機１２−２は、通信網１３を介して直接、他のテレビジョン受像機と通信し、ネットミーティング時のユーザの画像や音声の送受信を行う。
【００２８】
より具体的には、例えば、テレビジョン受像機１２−１を操作するユーザと、テレビジョン受像機１２−２を操作するユーザとがネットミーティングを行う場合、テレビジョン受像機１２−１は、ユーザの操作に応じて、ネットミーティングの開始を要求する着信要求を、通信網１３およびサーバ１１を介してテレビジョン受像機１２−２に送信する。
【００２９】
また、テレビジョン受像機１２−２は、テレビジョン受像機１２−１からの着信要求を受信し、その着信要求に応じて、着信を許可する旨の着信応答を、通信網１３およびサーバ１１を介してテレビジョン受像機１２−１に送信する。そして、テレビジョン受像機１２−１がテレビジョン受像機１２−２からの着信応答を受信すると、ネットミーティングが開始され、テレビジョン受像機１２−１とテレビジョン受像機１２−２とは、通信網１３を介して、例えばピアツーピア通信により、ユーザの画像（ライブ画像）や音声、いわゆるチャットのテキストデータなどの送受信を行う。ここで、テレビジョン受像機１２−１とテレビジョン受像機１２−２との間の画像や音声等の授受は、サーバ１１を介さずに行われる。
【００３０】
これにより、ユーザは、自分が操作するテレビジョン受像機１２−１またはテレビジョン受像機１２−２に表示される相手のユーザの画像を見ながら、マイクロフォンやスピーカを利用して相手と通話したり、ソフトウェアキーボードなどを利用して相手とチャットしたりすることができる。
【００３１】
なお、以下、テレビジョン受像機１２−１およびテレビジョン受像機１２−２を個々に区別する必要のない場合、単にテレビジョン受像機１２と称する。
【００３２】
次に、図２は、図１のテレビジョン受像機１２の機能的な構成例を示すブロック図である。
【００３３】
テレビジョン受像機１２は、テレビ機能モジュール４１、表示部４２、カメラ４３、マイクロフォン４４、スピーカ４５、設定ＵＩ（user interface）モジュール４６、管理モジュール４７、および通信モジュール４８から構成される。
【００３４】
テレビ機能モジュール４１は、デジタルテレビジョン放送入力、ビデオ入力、ＰＣ（Personal Computer）入力などの各種の入力の画像信号に基づく画像を表示部４２に表示させる機能や、画像を表示させるための信号処理機能、各種の設定機能、テレビジョン受像機１２の電源の状態を管理するステータス管理機能など、テレビジョン受像機が有する基本的な機能を提供する。
【００３５】
例えば、テレビ機能モジュール４１は、デジタルテレビジョン放送入力された番組の画像信号や、ビデオ入力された動画像の画像信号を表示部４２に供給して画像を表示させる。ここで、デジタルテレビジョン放送入力された番組の画像信号とは、テレビジョン受像機１２において受信された、デジタルテレビジョン放送されている番組の画像信号、つまりチューナから入力された画像信号をいう。また、ビデオ入力された画像信号とは、テレビジョン受像機１２に設けられたビデオ入力端子から入力された画像信号、例えばビデオ端子に接続されているハードディスクレコーダなどの機器から供給された録画された番組の画像信号をいう。
【００３６】
また、テレビ機能モジュール４１は、ＰＣ入力された動画像や、HDMI（High Definition Multimedia Interface）入力された動画像の画像信号を、表示部４２に供給して画像を表示させる。ここで、ＰＣ入力された画像信号とは、パーソナルコンピュータから供給された画像信号、つまりテレビジョン受像機１２とパーソナルコンピュータとを接続するための端子から入力された画像信号をいう。また、HDMI入力された画像信号とは、HDMI端子から入力された画像信号、つまりHDMIケーブルによりテレビジョン受像機１２と接続されている機器から供給された画像信号をいう。
【００３７】
さらに、テレビ機能モジュール４１は、管理モジュール４７からの要求に応じて、例えば表示部４２に表示されている画像がどこから入力された画像であるか、テレビジョン受像機１２の電源の状態が電源スタンバイ中であるかといった、テレビジョン受像機１２自身の状態を示す状態情報を管理モジュール４７に供給する。
【００３８】
さらに、テレビ機能モジュール４１は、ネットミーティング時において、通信モジュール４８から、ネットミーティングの通信相手の画像や音声、より詳細には画像信号や音声信号が供給されると、その画像信号を表示部４２に供給して、相手の画像を表示させるとともに、音声信号をスピーカ４５に供給して、相手の音声を再生させる。
【００３９】
さらに、ネットミーティング時において、テレビ機能モジュール４１は、カメラ４３から供給されたユーザの画像の画像信号、およびマイクロフォン４４から供給されたユーザの音声の音声信号を、通信モジュール４８に供給する。
【００４０】
表示部４２は、例えば液晶ディスプレイなどからなり、テレビ機能モジュール４１または設定ＵＩモジュール４６から供給された画像信号に基づいて画像を表示する。カメラ４３は、テレビジョン受像機１２を操作するユーザの画像を撮像し、これにより得られた画像信号をテレビ機能モジュール４１に供給する。
【００４１】
マイクロフォン４４は、テレビジョン受像機１２を操作するユーザの音声を取得し、取得した音声の音声信号をテレビ機能モジュール４１に供給する。スピーカ４５は、テレビ機能モジュール４１から供給された音声信号に基づいて音声を再生する。
【００４２】
設定ＵＩモジュール４６は、ネットミーティングの着信時の動作、つまり着信要求の受信時の動作の設定を行うためのユーザインターフェース機能を提供する。すなわち、設定ＵＩモジュール４６は、着信時の動作を設定するための設定画面を表示させる画像信号を、表示部４２に供給して設定画面を表示させる。また、設定ＵＩモジュール４６は、テレビジョン受像機１２を操作するための図示せぬリモートコマンダからの信号に基づいて、着信を要求してきた相手、およびテレビジョン受像機１２の状態情報により示される状態ごとに着信時動作を設定し、その設定を示す設定情報を管理モジュール４７に供給する。
【００４３】
管理モジュール４７は、着信時動作の設定管理機能、および着信時動作に関連するシーケンス機能を提供する。例えば、管理モジュール４７は設定ＵＩモジュール４６から供給された設定情報を記録したり、ユーザの操作に応じて、着信要求を通信モジュール４８に供給したりする。
【００４４】
また、管理モジュール４７は、テレビ機能モジュール４１から状態情報を取得して、その状態情報と、通信モジュール４８から供給された着信要求とに基づいて、ネットミーティングの開始、つまり着信の許可を要求してきた相手に対して、着信を許可するかまたは着信を拒否する旨の着信応答を通信モジュール４８に供給する。
【００４５】
通信モジュール４８は、SIPに従ってサーバ１１と通信し、ネットミーティング用の通信機能として、SIPクライアント機能を提供する。例えば、通信モジュール４８は、管理モジュール４７から供給された着信要求や着信応答をサーバ１１に送信したり、サーバ１１から送信されてきた着信要求や着信応答を受信して管理モジュール４７に供給したりする。
【００４６】
また、通信モジュール４８は、他のテレビジョン受像機から送信されてきた画像信号や音声信号を受信してテレビ機能モジュール４１に供給したり、テレビ機能モジュール４１から供給された画像信号や音声信号を他のテレビジョン受像機に送信したりする。
【００４７】
ところで、ユーザは、例えばリモートコマンダなどを操作することによって、テレビジョン受像機１２に対して、着信時の動作を設定させることができる。テレビジョン受像機１２は、ユーザから着信時の動作の設定が指示されると、ネットミーティングの相手や、テレビジョン受像機１２の状態などの条件に応じた着信時の動作を設定する処理である設定処理を行う。
【００４８】
以下、図３のフローチャートを参照して、テレビジョン受像機１２による設定処理について説明する。
【００４９】
ステップＳ１１において、表示部４２は、設定ＵＩモジュール４６から供給された画像信号に基づいて設定画面を表示する。すなわち、設定ＵＩモジュール４６は、設定画面を表示させるための画像信号を表示部４２に供給して、表示部４２に設定画面を表示させる。
【００５０】
これにより、表示部４２には、例えば、図４に示す設定画面が表示される。
【００５１】
図４に示す設定画面には、登録された名前が“Ａさん”であるユーザからの着信時の動作を設定するための設定欄７１、登録された名前が“Ｂさん”であるユーザからの着信時の動作を設定するための設定欄７２、および登録された名前が“Ｃさん”であるユーザからの着信時の動作を設定するための設定欄７３が表示されている。
【００５２】
ユーザは、リモートコマンダを操作して、これらの設定欄７１乃至設定欄７３のうち、着信時の動作の設定の対象とする相手（ユーザ）の設定欄を最前面に表示させ、その相手からの着信時の動作を設定する。
【００５３】
例えば、図４の例では、設定欄７１が最前面に表示されており、設定欄７１には、名前が“Ａさん”であるユーザから着信があった場合、表示部４２に表示されている画像の入力が、デジタルテレビジョン放送入力であったとき、ビデオ入力であったとき、ＨＤＭＩ入力であったとき、およびＰＣ入力であったときのそれぞれについて、着信時の動作を設定できるようになされている。
【００５４】
例えば、設定欄７１の図中、上側には、文字“テレビ入力中の着信時動作”が表示されており、その下には、文字“自動着信”、“マニュアル着信”、および“着信拒否”が表示された選択項目が並べられて表示されている。
【００５５】
選択項目“自動着信”が選択されると、着信時の動作が自動着信とされる。つまり、ネットミーティングの開始を要求する着信があった場合（着信要求が送信されてきた場合）、ユーザに対して着信を許可するか否かの確認がされることなく、管理モジュール４７により着信が許可され、ネットミーティングが開始される。したがって、ユーザから見れば、自動的に着信が許可される。
【００５６】
また、選択項目“マニュアル着信”が選択されると、着信時の動作がマニュアル着信とされる。つまり、ネットミーティングの開始を要求する着信があった場合、表示部４２には、相手からの着信を許可するか否かの確認画面が表示され、ユーザにより着信が指示されると、相手からの着信が許可され、ユーザにより着信の拒否が指示されると、相手からの着信は拒否される。
【００５７】
さらに、選択項目“着信拒否”が選択されると、着信時の動作が着信拒否とされる。つまり、ネットミーティングの開始を要求する着信があった場合、ユーザに対して着信を許可するか否かの確認がされることなく、管理モジュール４７により着信が拒否され、ネットミーティングは開始されない。したがって、ユーザから見れば、自動的に着信が拒否される。
【００５８】
ユーザは、リモートコマンダを操作して、文字“テレビ入力中の着信時動作”の図中、下側に表示されている３つの選択項目のうちの１つを選択することにより、表示部４２にデジタルテレビジョン放送入力された画像が表示されている場合に、名前が“Ａさん”であるユーザから着信があったときの着信時動作を設定することができる。図４の例では、各選択項目の左側に表示された円のうちの着信拒否の左側の円が、他の円とは異なる色で表示されており、着信拒否の選択項目が選択されていることを示している。したがって、デジタルテレビジョン放送入力された画像の表示中に、Ａさんから着信があった場合、その着信は拒否される。
【００５９】
同様に、設定欄７１には、文字“ビデオ入力中の着信時動作”が表示され、その下には自動着信、マニュアル着信、および着信拒否の選択項目のそれぞれが表示されている。そして、ユーザは、これらの選択項目の何れかを選択することで、表示部４２にビデオ入力された画像が表示されている場合に、Ａさんから着信があったときの着信時動作を設定することができる。図４の例では、マニュアル着信の選択項目が選択されており、ビデオ入力された画像の表示中にＡさんからの着信があると、確認画面が表示され、ユーザの指示に応じて着信が許可されるか、または拒否される。
【００６０】
また、設定欄７１には、文字“HDMI入力中の着信時動作”が表示され、その文字の下には、自動着信、マニュアル着信、および着信拒否の選択項目のそれぞれが表示されている。そして、ユーザは、これらの選択項目の何れかを選択することで、表示部４２にHDMI入力された画像が表示されている場合に、Ａさんから着信があったときの着信時動作を設定することができる。図４の例では、自動着信の選択項目が選択されており、HDMI入力された画像の表示中のＡさんからの着信は許可される。
【００６１】
さらに、設定欄７１には、文字“ＰＣ入力中の着信時動作”が表示され、その文字の下には、自動着信、マニュアル着信、および着信拒否の選択項目のそれぞれが表示されている。そして、ユーザは、これらの選択項目の何れかを選択することで、表示部４２にＰＣ入力された画像が表示されている場合に、Ａさんから着信があったときの着信時動作を設定することができる。図４の例では、自動着信の選択項目が選択されており、ＰＣ入力された画像の表示中のＡさんからの着信は許可される。
【００６２】
ユーザは、各入力元から供給された画像が表示されてきるときの着信について、所望の選択項目を選択することで、着信時の動作を設定することができる。また、ユーザは、設定欄７２や設定欄７３を最前面に表示させ、各入力元から供給された画像の表示中におけるＢさんからの着信時の動作や、Ｃさんからの着信時の動作を設定することができる。
【００６３】
なお、その他、例えば、テレビジョン受像機１２の電源の状態がスタンバイ状態である場合に、各ユーザから着信があったときの着信時動作を、自動着信、マニュアル着信、および着信拒否のなかから選択できるようにしてもよい。このように、電源の状態に応じて着信時動作を設定できるようにすることで、電源がスタンバイ状態であるときに、着信要求が送信されてきたために無駄に電源をオンする必要がなくなる。電源の状態に応じて着信時動作を設定することは、特に、省電対策に有効である。
【００６４】
このように、着信を要求してきた各相手（着信要求を送信してきた装置）について、表示部４２に表示されている画像の入力元や電源の状態ごと、つまり着信要求受信時のテレビジョン受像機１２の状態ごとに着信時動作を設定できるようにすることで、ユーザの番組の視聴が妨げられたり、無駄に電源がオンされたりすることを防止することができる。
【００６５】
図３のフローチャートの説明に戻り、表示部４２に設定画面が表示されると、ユーザはリモートコマンダを操作して、設定画面に表示されているネットミーティングの相手としてのユーザ（自分以外のユーザ）のなかから、設定の対象とするユーザを選択する。すなわち、例えばユーザは、図４の設定欄７１乃至設定欄７３のなかから、設定の対象とする相手の設定欄を最前面に表示させることにより、設定の対象とするユーザを選択する。
【００６６】
すると、リモートコマンダからテレビジョン受像機１２には、ユーザの操作に応じた信号が送信されてくるので、テレビジョン受像機１２は、送信されてきた信号を受信し、その信号に基づいて設定ＵＩモジュール４６にユーザ（相手）の選択を指示する。
【００６７】
そして、ステップＳ１２において、設定ＵＩモジュール４６は、テレビジョン受像機１２の指示に応じて設定の対象とするユーザ（ネットミーティングの相手）を選択する。
【００６８】
また、ユーザは、設定の対象となる相手を選択すると、各入力の画像、つまり各入力元から供給された画像の表示中に、選択された相手からの着信があったときの着信時動作を選択する。すなわち、例えばユーザは、図４の設定欄７１が最前面に表示されている状態において、リモートコマンダを操作して選択項目を指定することで、デジタルテレビジョン放送入力、ビデオ入力、HDMI入力、およびＰＣ入力の各入力の画像が表示されている場合に、Ａさんからの着信があったときの着信時動作のそれぞれを選択する。
【００６９】
これにより、リモートコマンダからテレビジョン受像機１２には、ユーザの操作に応じた信号が送信されてくるので、テレビジョン受像機１２は、送信されてきた信号を受信し、その信号に基づいて設定ＵＩモジュール４６に着信時動作の選択を指示する。
【００７０】
ステップＳ１３において、設定ＵＩモジュール４６は、テレビジョン受像機１２からの指示に応じて、テレビジョン受像機１２の状態ごとに着信時の動作を選択する。すなわち、例えば設定ＵＩモジュール４６は、デジタルテレビジョン放送入力された画像、ビデオ入力された画像、HDMI入力された画像、およびＰＣ入力された画像のそれぞれが表示部４２に表示されているときに、ステップＳ１２の処理において選択された相手からの着信があったときの動作のそれぞれを選択する。換言すれば、設定ＵＩモジュール４６は、表示部４２に表示されている画像の入力元が、デジタルテレビジョン放送用のチューナ、ビデオ端子、HDMI端子、およびパーソナルコンピュータ接続用の端子のそれぞれであった場合に、相手からの着信があったときの動作のそれぞれを選択する。
【００７１】
そして、設定ＵＩモジュール４６は、選択された相手と、その相手からの着信時における状態ごとの動作とを示す設定情報を生成し、管理モジュール４７に供給する。なお、設定画面が表示されている状態で、ユーザにより複数の相手についての着信時動作が選択された場合には、設定ＵＩモジュール４６は、選択された相手ごとに設定情報を生成する。
【００７２】
ステップＳ１４において、管理モジュール４７は、設定ＵＩモジュール４６から供給された設定情報を記録して、設定処理は終了する。
【００７３】
このようにして、テレビジョン受像機１２は、ユーザの操作に応じてネットミーティングの各相手について、テレビジョン受像機１２の状態ごとに着信時動作を設定する。
【００７４】
このように、各相手について、表示部４２に表示中の画像の入力元や、電源の状態といったテレビジョン受像機１２の状態ごとに着信時動作を設定することで、その設定に基づいて、着信を要求してきた相手ごとに、またテレビジョン受像機１２の状態ごとに、テレビジョン受像機１２にユーザの所望する動作を行わせることができる。これにより、ネットミーティング機能を有するテレビジョン受像機１２の利便性を向上させることができる。
【００７５】
したがって、例えば、番組の視聴中には、着信を許可したくない相手に対しては、着信時動作として着信拒否を設定することで、ユーザは、その相手からのネットミーティングの要求に邪魔されることなく、番組を視聴することができる。また、例えば、場合によっては、番組の視聴中に着信を許可してもよい相手に対しては、着信時動作としてマニュアル着信を設定することで、ユーザは、その相手からの着信があったときに、そのときの状況に応じて、着信を許可したり、着信を拒否したりすることができる。
【００７６】
次に、図５のフローチャートを参照して、テレビジョン受像機１２による着信処理について説明する。この着信処理は、通信網１３を介して、サーバ１１から着信要求が送信されてきたとき、すなわち他のテレビジョン受像機１２を操作するユーザ（相手）からネットミーティングの開始が要求されたときに開始される。なお、以下、テレビジョン受像機１２−１に、テレビジョン受像機１２−２からの着信要求が送信されてきたものとして説明する。つまり、着信処理はテレビジョン受像機１２−１により行われる。
【００７７】
ステップＳ４１において、通信モジュール４８は、サーバ１１から送信されてきた、他のテレビジョン受像機１２−２からの着信要求を受信して管理モジュール４７に供給する。すなわち、通信モジュール４８は、受信した着信要求の内容を解析して、着信を要求してきた相手を特定し、その相手を示す情報とともに、着信が要求された旨の情報を管理モジュール４７に供給する。ここで、着信要求には、着信を要求してきた相手、つまりテレビジョン受像機１２−２を操作するユーザを示す情報が含まれている。
【００７８】
ステップＳ４２において、管理モジュール４７は、テレビ機能モジュール４１から状態情報を取得する。つまり、管理モジュール４７は、テレビ機能モジュール４１に対して、状態情報の供給を指示し、テレビ機能モジュール４１は、その指示に応じてテレビジョン受像機１２−１の状態を示す状態情報を生成し、管理モジュール４７に供給する。
【００７９】
例えば、表示部４２にデジタルテレビジョン放送入力された画像が表示されている場合、テレビ機能モジュール４１は、デジタルテレビジョン放送入力の画像の表示中であることを示す状態情報を管理モジュール４７に供給する。
【００８０】
ステップＳ４３において、管理モジュール４７は、通信モジュール４８からの着信要求、テレビ機能モジュール４１からの状態情報、および記録している設定情報に基づいて、着信を要求してきた相手に対する、状態情報により示される状態における設定が、自動着信であるか否かを判定する。
【００８１】
ステップＳ４３において、自動着信であると判定された場合、処理はステップＳ４７に進む。これに対して、ステップＳ４３において、自動着信ではないと判定された場合、ステップＳ４４において、管理モジュール４７は、着信要求、状態情報、および設定情報に基づいて、着信を要求してきた相手に対する、状態情報により示される状態における設定がマニュアル着信であるか否かを判定する。
【００８２】
ステップＳ４４において、マニュアル着信でないと判定された場合、つまり、設定が着信拒否である場合、処理はステップＳ４６に進む。
【００８３】
一方、ステップＳ４４において、マニュアル着信であると判定された場合、管理モジュール４７は、設定ＵＩモジュール４６に着信を要求してきた相手を通知するとともに、その相手についての確認画面の表示を指示し、設定ＵＩモジュール４６は、管理モジュール４７からの指示に応じて、表示部４２に確認画面を表示させるための画像信号を供給し、確認画面を表示させる。
【００８４】
そして、着信を要求してきた相手について、着信を許可するか否かの確認画面が表示部４２に表示されると、処理はステップＳ４５に進む。また、ユーザは、確認画面が表示されると、リモートコマンダを操作して、着信を要求してきた相手について、その着信を許可するか、または拒否するかを指示する。さらに、テレビジョン受像機１２−１は、リモートコマンダから送信されてきた、ユーザの操作に応じた信号を受信して管理モジュール４７に供給する。
【００８５】
ステップＳ４５において、管理モジュール４７は、テレビジョン受像機１２−１から供給されたユーザの操作に応じた信号に基づいて、ユーザにより着信が指示されたか否かを判定する。ステップＳ４５において、着信が指示されたと判定された場合、処理はステップＳ４７に進む。また、ステップＳ４５において、着信が指示されなかったと判定された場合、処理はステップＳ４６に進む。
【００８６】
ステップＳ４４において、マニュアル着信ではないと判定されたか、またはステップＳ４５において着信が指示されていないと判定された場合、ステップＳ４６において、通信モジュール４８は、着信を拒否する旨の着信応答を送信し、着信処理は終了する。すなわち、設定が着信拒否となっているか、またはユーザにより着信を拒否するように指示されたので、管理モジュール４７は、着信を拒否すると判定し、ネットミーティングを行わない旨の着信応答を生成して、通信モジュール４８に供給する。そして、通信モジュール４８は、管理モジュール４７から供給された着信応答を、通信網１３を介してサーバ１１に送信する。
【００８７】
このようにしてサーバ１１に送信された着信応答は、サーバ１１により受信され、さらにサーバ１１により、着信要求を送信してきたテレビジョン受像機１２−２に送信される。そして、テレビジョン受像機１２−２において着信応答が受信されると、そのテレビジョン受像機１２−２には、着信が拒否されたためネットミーティングが開始されない旨のメッセージが表示される。
【００８８】
また、ステップＳ４３において自動着信であると判定されたか、またはステップＳ４５において着信が指示されたと判定された場合、ステップＳ４７において、通信モジュール４８は、着信する旨の着信応答をサーバ１１に送信する。
【００８９】
すなわち、設定が自動着信となっているか、またはユーザにより着信を許可するように指示されたので、管理モジュール４７は、着信を許可すると判定し、ネットミーティングを開始する旨の着信応答を生成して、通信モジュール４８に供給する。そして、通信モジュール４８は、管理モジュール４７から供給された着信応答を、通信網１３を介してサーバ１１に送信する。
【００９０】
このようにしてサーバ１１に送信された着信応答は、サーバ１１により受信され、さらにサーバ１１により、着信要求を送信してきたテレビジョン受像機１２−２に送信される。そして、テレビジョン受像機１２−２において着信応答が受信されると、そのテレビジョン受像機１２−２には、着信が許可されてネットミーティングが開始される旨のメッセージが表示される。
【００９１】
このようにして、着信が許可されると、ステップＳ４８において、テレビジョン受像機１２−１は、ネットミーティングの開始を要求してきたテレビジョン受像機１２−２と通信網１３を介して直接、通信を行ってネットミーティングを開始し、着信処理は終了する。
【００９２】
すなわち、ネットミーティングが開始されると、通信モジュール４８は、通信網１３を介してテレビジョン受像機１２−２から送信されてきた、ネットミーティングの相手の画像の画像信号、および相手の音声の音声信号を受信し、受信した画像信号および音声信号をテレビ機能モジュール４１に供給する。そして、テレビ機能モジュール４１は、通信モジュール４８から供給された画像信号を表示部４２に供給して、相手のライブ画像を表示させるとともに、通信モジュール４８から供給された音声信号をスピーカ４５に供給して、相手の音声を再生させる。
【００９３】
また、テレビ機能モジュール４１は、カメラ４３から、カメラ４３により撮像されたユーザの画像の画像信号を取得するとともに、マイクロフォン４４から、マイクロフォン４４により集音されたユーザの音声の音声信号を取得する。そして、テレビ機能モジュール４１は、取得したこれらの画像信号および音声信号を通信モジュール４８に供給し、通信モジュール４８は、テレビ機能モジュール４１からの画像信号および音声信号を、通信網１３を介してテレビジョン受像機１２−２に送信する。
【００９４】
これにより、テレビジョン受像機１２を操作するユーザ同士で、相手の画像を見ながら通話を行うことができる。なお、テレビジョン受像機１２−１とテレビジョン受像機２１−２との間で、チャットのためのテキストデータが送受信されるようにしてもよいし、画像信号と音声信号の何れか一方だけが送受信されるようにしてもよい。
【００９５】
このようにして、テレビジョン受像機１２は、着信要求が送信されてくると、それを受信して、着信を要求してきた相手を特定するとともに、テレビジョン受像機１２の状態を示す状態情報を取得する。そして、テレビジョン受像機１２は、特定された相手と、状態情報により示される状態とに対する設定に基づいて、着信時の動作を行う。
【００９６】
このように、着信を要求してきた相手と、状態情報により示される状態とに対する設定に基づいて、着信時の動作を行うことで、ユーザのニーズに応じた柔軟な着信時動作を行うことができ、その結果、テレビジョン受像機１２の利便性を向上させることができる。
【００９７】
なお、以上においては、着信を要求してきた各相手について、テレビジョン受像機１２の状態ごとに着信時動作を設定すると説明したが、着信の相手によらず、テレビジョン受像機１２の状態ごとに着信時動作を設定するようにしてもよいし、状態によらず、着信の相手ごとに着信時動作を設定することができるようにしてもよい。
【００９８】
また、テレビジョン受像機１２が設定情報を記録して、着信を許可するか否かを判定すると説明したが、サーバ１１が着信を許可するか否かを判定するようにしてもよい。
【００９９】
そのような場合、図１のサーバ１１は、例えば図６に示すように構成される。図６では、サーバ１１は、通信モジュール１１１、取得モジュール１１２、および管理モジュール１１３から構成される。
【０１００】
通信モジュール１１１は、通信網１３を介してテレビジョン受像機１２と通信し、各種のデータを送受信する。取得モジュール１１２は、テレビジョン受像機１２に対して、テレビジョン受像機１２の状態を示す状態情報の送信を要求する取得要求を、通信モジュール１１１に送信させる。また、取得モジュール１１２は、テレビジョン受像機１２からの状態情報が、通信モジュール１１１から供給されると、その状態情報を管理モジュール１１３に供給する。
【０１０１】
管理モジュール１１３は、通信モジュール１１１から供給された、テレビジョン受像機１２の設定情報を記録し、取得モジュール１１２からの状態情報、および設定情報を用いてテレビジョン受像機１２への着信を許可するか否かを判定する。
【０１０２】
また、テレビジョン受像機１２は、設定画面を表示して、ユーザから着信時動作が選択されると、その選択に応じた設定情報を、通信網１３を介してサーバ１１に送信する。そして、サーバ１１の通信モジュール１１１は、テレビジョン受像機１２から送信されてきた設定情報を受信して管理モジュール１１３に供給する。管理モジュール１１３は、通信モジュール１１１から供給されたテレビジョン受像機１２ごとの設定情報を記録する。
【０１０３】
そして、例えば、サーバ１１は、テレビジョン受像機１２−２から、テレビジョン受像機１２−１への着信の許可を要求する着信要求が送信されてくると、SIPに従ってテレビジョン受像機１２−１と通信し、記録している設定情報を用いて、着信を許可するか否かを判定する着信判定処理を開始する。
【０１０４】
以下、図７のフローチャートを参照して、サーバ１１による着信判定処理について説明する。
【０１０５】
ステップＳ８１において、通信モジュール１１１は、通信網１３を介して、テレビジョン受像機１２−２から送信されてきた、テレビジョン受像機１２−１とのネットミーティングの開始を要求する着信要求を受信して管理モジュール１１３に供給する。より詳細には、通信モジュール１１１は着信要求を受信すると、受信した着信要求の内容を解析して着信を要求してきた相手を特定し、その相手を示す情報とともに、着信が要求された旨の情報を管理モジュール１１３に供給する。
【０１０６】
すると、管理モジュール１１３は、取得モジュール１１２に状態情報の取得を指示し、取得モジュール１１２は、その指示に応じて、テレビジョン受像機１２−１の状態を示す状態情報の送信を要求する取得要求を通信モジュール１１１に供給する。そして、通信モジュール１１１は、取得モジュール１１２からの取得要求を、通信網１３を介して、テレビジョン受像機１２−１に送信する。なお、サーバ１１からテレビジョン受像機１２−１には、取得要求とともに着信のあった相手も通知される。
【０１０７】
また、テレビジョン受像機１２−１は、サーバ１１から取得要求が送信されてくると、その取得要求を受信して、テレビジョン受像機１２−１の状態を示す状態情報を送信してくる。
【０１０８】
テレビジョン受像機１２−１から状態情報が送信されてくると、ステップＳ８２において、サーバ１１の通信モジュール１１１は、送信されてきた状態情報を受信し、受信した状態情報を取得モジュール１１２に供給する。取得モジュール１１２は、通信モジュール１１１から供給された状態情報、つまりテレビジョン受像機１２−１から取得した状態情報を管理モジュール１１３に供給する。
【０１０９】
ステップＳ８３において、管理モジュール１１３は、通信モジュール１１１からの着信要求、取得モジュール１１２からの状態情報、および記録しているテレビジョン受像機１２−１のユーザの設定情報に基づいて、着信を要求してきた相手に対する、状態情報により示される状態における設定が、マニュアル着信であるか否かを判定する。
【０１１０】
ステップＳ８３において、マニュアル着信であると判定された場合、管理モジュール１１３は、相手からの着信を許可するか否かを示す着信要否情報の送信をテレビジョン受像機１２−１に対して要求し、処理はステップＳ８４に進む。すなわち、管理モジュール１１３は、着信要否情報の送信を要求する送信要求を通信モジュール１１１に供給し、通信モジュール１１１は供給された送信要求を、通信網１３を介してテレビジョン受像機１２−１に送信する。
【０１１１】
また、テレビジョン受像機１２−１は、通信モジュール１１１から送信要求が送信されてくると、その送信要求を受信し、受信した送信要求に応じて、着信を許可するか、または着信を拒否するかを示す着信要否情報をサーバ１１に送信してくる。
【０１１２】
ステップＳ８４において、通信モジュール１１１は、テレビジョン受像機１２−１から送信されてきた着信要否情報を受信して管理モジュール１１３に供給する。
【０１１３】
ステップＳ８５において、管理モジュール１１３は、通信モジュール１１１から供給された着信要否情報に基づいて、テレビジョン受像機１２−１を操作するユーザから着信が指示されたか否かを判定する。
【０１１４】
ステップＳ８５において、着信が指示されなかったと判定された場合、着信を拒否するので、処理はステップＳ８８に進む。また、ステップＳ８５において、着信が指示されたと判定された場合、処理はステップＳ８６に進む。
【０１１５】
ステップＳ８６において、通信モジュール１１１は、着信する旨の着信応答を、通信網１３を介して着信要求を送信してきたテレビジョン受像機１２−２に対して送信し、着信判定処理は終了する。すなわち、管理モジュール１１３は、着信を許可すると判定して、着信する旨の着信応答を通信モジュール１１１に供給し、通信モジュール１１１は、供給された着信応答をテレビジョン受像機１２−２に送信する。
【０１１６】
また、管理モジュール１１３は、相手からの着信を許可した旨の着信許可通知を通信モジュール１１１に供給して、その着信許可通知をテレビジョン受像機１２−１に送信させる。そして、その後、テレビジョン受像機１２−１と、テレビジョン受像機１２−２とは、必要に応じてサーバ１１を介して通信し、ネットミーティングを行う。
【０１１７】
また、ステップＳ８３において、マニュアル着信でないと判定された場合、ステップＳ８７において、管理モジュール１１３は、設定が自動着信であるか否かを判定する。ステップＳ８７において、自動着信であると判定された場合、着信を要求してきた相手に対しては、テレビジョン受像機１２−１のユーザは、状態情報により示される状態における着信を許可しているので、処理はステップＳ８６に進み、着信する旨の着信応答がテレビジョン受像機１２−２に送信される。
【０１１８】
これに対して、ステップＳ８７において、自動着信でないと判定された場合、すなわち、設定が着信拒否である場合、テレビジョン受像機１２−１のユーザはネットミーティングを行わないので、処理はステップＳ８８に進む。
【０１１９】
ステップＳ８７において自動着信でないと判定されたか、またはステップＳ８５において、着信が指示されなかった場合、ステップＳ８８において、通信モジュール１１１は、着信を拒否する旨の着信応答を、通信網１３を介してテレビジョン受像機１２−２に送信し、着信判定処理は終了する。すなわち、管理モジュール１１３は、着信を拒否すると判定して、着信を拒否する旨の着信応答を通信モジュール１１１に供給し、通信モジュール１１１は、供給された着信応答をテレビジョン受像機１２−２に送信する。
【０１２０】
このようにして、サーバ１１は、テレビジョン受像機１２に対する着信要求が送信されてくると、その着信要求を受信し、状態情報を取得する。また、状態情報を取得すると、サーバ１１は記録している設定情報を用いて、取得した状態情報と、着信を要求してきた相手とについての設定に応じて着信を許可するか否かを判定する。
【０１２１】
このように、設定情報を記録しておき、取得した状態情報と、着信要求を送信してきた相手とに応じて、着信を許可するか否かを判定することで、着信要求の受信時におけるテレビジョン受像機１２の処理を軽減させることができ、テレビジョン受像機１２の利便性を向上させることができる。
【０１２２】
なお、より詳細には、テレビジョン受像機１２−１に対する着信要求をサーバ１１が受信した場合に、テレビジョン受像機１２−１から受信した設定情報により、着信要求を送信してきた相手、つまり着信要求を送信してきたテレビジョン受像機１２−２を操作するユーザについて設定されていないときには、サーバ１１はテレビジョン受像機１２−１への着信を拒否する。
【０１２３】
換言すれば、テレビジョン受像機１２−１のユーザにより、登録されていない相手、つまり着信時動作が設定されていない相手からユーザに対して着信があった場合には、その相手からの着信は拒否される。
【０１２４】
このように、登録されていない相手からの着信をサーバ１１が拒否することで、ユーザは知らない相手からの着信に番組等の視聴を妨げられるようなこともない。登録されていない相手からの着信を拒否することは、特に、いたずら電話対策として有効である。
【０１２５】
また、サーバ１１において着信判定処理が開始され、サーバ１１からテレビジョン受像機１２−１に状態情報の取得要求が送信されてくると、テレビジョン受像機１２−１は、着信時動作の設定に応じてネットミーティングを行う処理である着信処理を開始する。以下、図８のフローチャートを参照して、テレビジョン受像機１２−１による着信処理について説明する。
【０１２６】
ステップＳ１１１において、管理モジュール４７は、テレビ機能モジュール４１から状態情報を取得して通信モジュール４８に供給する。すなわち、サーバ１１から取得要求が送信されてくると、テレビジョン受像機１２−１の通信モジュール４８は、送信されてきた取得要求を受信して管理モジュール４７に供給する。管理モジュール４７は、通信モジュール４８からの取得要求に応じて、テレビ機能モジュール４１に状態情報の供給を指示する。そして、テレビ機能モジュール４１は、管理モジュール４７の指示に応じて、状態情報を管理モジュール４７に供給する。なお、サーバ１１からテレビジョン受像機１２−１には、状態情報の取得要求とともに、着信のあった相手も通知される。
【０１２７】
ステップＳ１１２において、通信モジュール４８は、管理モジュール４７からの状態情報を、通信網１３を介してサーバ１１に送信する。
【０１２８】
すると、サーバ１１は、テレビジョン受像機１２−１から送信されてきた状態情報を受信して、その状態情報により示される状態と、着信を要求してきた相手とから、記録している設定情報により設定されている着信時動作を行う。つまり、着信時動作の設定が自動着信または着信拒否とされている場合、サーバ１１はその設定に従った動作を行う。また、着信時動作の設定がマニュアル着信とされている場合、サーバ１１は、テレビジョン受像機１２−１に対して、相手からの着信を許可するか否かを示す着信要否情報の送信を要求してくる。すなわち、サーバ１１は、テレビジョン受像機１２−１に、着信要否情報の送信を要求する送信要求を送信してくる。
【０１２９】
ステップＳ１１３において、管理モジュール４７は、サーバ１１から着信の要否の指示が要求されたか否か、すなわち着信要否情報の送信が要求されたか否かを判定する。例えば、サーバ１１から送信要求が送信されてきた場合、着信の要否の指示が要求されたと判定される。
【０１３０】
ステップＳ１１３において、着信の要否の指示が要求されていないと判定された場合、処理はステップＳ１１５に進む。
【０１３１】
また、ステップＳ１１３において、着信の要否の指示が要求されたと判定された場合、通信モジュール４８は、サーバ１１から送信されてきた送信要求を受信して管理モジュール４７に供給する。そして、管理モジュール４７は、設定ＵＩモジュール４６に確認画面の表示を指示し、設定ＵＩモジュール４６は、その指示に応じて表示部４２に確認画面を表示させる。
【０１３２】
すると、ユーザは、確認画面を見ながらリモートコマンダを操作し、相手からの着信を許可するか否かを指示する。テレビジョン受像機１２−１は、リモートコマンダからユーザの操作に応じた信号が送信されてくると、その信号を受信して管理モジュール４７に供給する。さらに、管理モジュール４７は、テレビジョン受像機１２−１から供給された信号に応じて、着信を許可するか、または着信を拒否するかを示す着信要否情報を通信モジュール４８に供給し、処理はステップＳ１１４に進む。
【０１３３】
ステップＳ１１４において、通信モジュール４８は、管理モジュール４７から供給された着信要否情報を、通信網１３を介してサーバ１１に送信する。また、ユーザが相手からの着信を指示するか、着信時動作の設定が自動着信となっている場合、サーバ１１において、相手からの着信が許可され、サーバ１１からテレビジョン受像機１２−１には、相手からの着信を許可したことを示す着信許可通知が送信されてくる。通信モジュール４８は、サーバ１１から通信許可通知が送信されてくると、その通信許可通知を受信して管理モジュール４７に供給する。
【０１３４】
ステップＳ１１４において着信要否情報が送信されるか、またはステップＳ１１３において着信の要否の指示が要求されなかったと判定された場合、ステップＳ１１５において、管理モジュール４７は着信要求を送信してきた相手とネットミーティングを行うか否かを判定する。例えば、通信モジュール４８から管理モジュール４７にサーバ１１からの着信許可通知が供給された場合、ネットミーティングを行うと判定される。
【０１３５】
ステップＳ１１５において、ネットミーティングを行わないと判定された場合、着信は拒否されたので、着信処理は終了する。
【０１３６】
一方、ステップＳ１１５において、ネットミーティングを行うと判定された場合、ステップＳ１１６において、テレビジョン受像機１２−１は、ネットミーティングを開始してテレビジョン受像機１２−２と画像信号および音声信号の送受信を行い、着信処理は終了する。
【０１３７】
このようにして、テレビジョン受像機１２−１は、サーバ１１に状態情報を送信し、サーバ１１から着信の要否の指示が要求されると、確認画面を表示して、ユーザの指示に応じた着信要否信号をサーバ１１に送信する。
【０１３８】
サーバ１１に予め設定情報を送信して記録させておくと、テレビジョン受像機１２−１は、サーバ１１から着信の要否の指示が要求されたときにだけ、確認画面を表示して着信を許可するか否かをサーバ１１に指示すればよいので、着信要求が送信されてくるたびに着信応答を送信する必要がなくなる。これにより、テレビジョン受像機１２の利便性を向上させることができる。
【０１３９】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１４０】
図９は、上述した一連の処理をプログラムにより実行するコンピュータのハードウェアの構成例を示すブロック図である。
【０１４１】
コンピュータにおいて、CPU（Central Processing Unit）２０１，ROM（Read Only Memory）２０２，RAM（Random Access Memory）２０３は、バス２０４により相互に接続されている。
【０１４２】
バス２０４には、さらに、入出力インターフェース２０５が接続されている。入出力インターフェース２０５には、キーボード、マウス、マイクロホンなどよりなる入力部２０６、ディスプレイ、スピーカなどよりなる出力部２０７、ハードディスクや不揮発性のメモリなどよりなる記録部２０８、ネットワークインターフェースなどよりなる通信部２０９、磁気ディスク、光ディスク、光磁気ディスク、或いは半導体メモリなどのリムーバブルメディア２１１を駆動するドライブ２１０が接続されている。
【０１４３】
以上のように構成されるコンピュータでは、CPU２０１が、例えば、記録部２０８に記録されているプログラムを、入出力インターフェース２０５及びバス２０４を介して、RAM２０３にロードして実行することにより、上述した一連の処理が行われる。
【０１４４】
コンピュータ（CPU２０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【０１４５】
そして、プログラムは、リムーバブルメディア２１１をドライブ２１０に装着することにより、入出力インターフェース２０５を介して、記録部２０８にインストールすることができる。また、プログラムは、有線または無線の伝送媒体を介して、通信部２０９で受信し、記録部２０８にインストールすることができる。その他、プログラムは、ROM２０２や記録部２０８に、あらかじめインストールしておくことができる。
【０１４６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１４７】
なお、本発明の実施の形態は、上述した実施の形態に限定されるものではなく、本発明の要旨を逸脱しない範囲において種々の変更が可能である。
【図面の簡単な説明】
【０１４８】
【図１】本発明を適用したネットミーティングシステムの一実施の構成例を示す図である。
【図２】テレビジョン受像機の機能の構成例を示すブロック図である。
【図３】設定処理を説明するフローチャートである。
【図４】設定画面の表示例を示す図である。
【図５】着信処理を説明するフローチャートである。
【図６】サーバの構成例を示すブロック図である。
【図７】着信判定処理を説明するフローチャートである。
【図８】着信処理を説明するフローチャートである。
【図９】コンピュータの構成例を示すブロック図である。
【符号の説明】
【０１４９】
１１  サーバ，  １２−１，１２−２，１２  テレビジョン受像機，  ４１  テレビ機能モジュール，  ４２  表示部，  ４６  設定ＵＩモジュール，  ４７  管理モジュール，  ４８  通信モジュール，  １１１  通信モジュール，  １１２  取得モジュール，  １１３  管理モジュール
【図１】
2009089150.tif 000003
【図２】
2009089150.tif 000004
【図３】
2009089150.tif 000005
【図４】
2009089150.tif 000006
【図５】
2009089150.tif 000007
【図６】
2009089150.tif 000008
【図７】
2009089150.tif 000009
【図８】
2009089150.tif 000010
【図９】
2009089150.tif 000011